(57)【要約】【課題】    本発明の目的は、騒音の軽減化を図ることができるペット用収納ボックスを提供するものである。【解決手段】    ペット用収納ボックスＰは、開閉自在な扉１１を有し、内部に犬又は犬を入れたケージを収納する本体１と、この本体１の内部に設けられた第１の吸音材１２と、本体１の側壁に設けられ、本体１の外の空気を本体１内に取り入れる吸気通路１３と、本体１の側壁に設けられた排気通路１４と、この排気通路１４に臨むように本体１内に取り付けられ、本体１内の空気を吸引して外部に排気する排気ファン１５と、排気通路１４に接続され、本体１の側壁より突出するように設けられた外部排気通路１６と、この外部排気通路１６の内壁面に設けられた第２の吸音材１７とを有するものである。【選択図】図１
2018050588.tif 000002
【特許請求の範囲】
【請求項１】
開閉自在な扉を有し、内部に犬又は犬を入れたケージを収納する本体と、
この本体の内部に設けられた第１の吸音材と、
前記本体の側壁に設けられ、前記本体の外の空気を前記本体内に取り入れる吸気通路と、
前記本体の側壁に設けられた排気通路と、
この排気通路に臨むように前記本体内に取り付けられ、前記本体内の空気を吸引して外部に排気する排気ファンと、
前記排気通路に接続され、前記本体の側壁より突出するように設けられた外部排気通路と、
この外部排気通路の内壁面に設けられた第２の吸音材とを有する
ことを特徴とするペット用収納ボックス。
【請求項２】
外部排気通路が蛇行状に形成されている
ことを特徴とする請求項１記載のペット用収納ボックス。
【請求項３】
吸気通路の本体の側壁の外部側の吸気口は、外部吸気口であり、
外部排気通路の一端は、排気通路に臨み、前記外部排気通路の他端は、外気に臨み、
垂直方向に対して、前記排気通路が前記吸気通路より上に位置し、
前記外部排気通路の外部側の排気口は、外部排気口であり、前記外部排気口は、前記本体の設置面に臨み、  
前記外部排気口は、平面視、前記本体の前面より背面に近い側に位置し、
前記外部吸気口は、平面視、前記本体の背面より前面に近い側に位置する
ことを特徴とする請求項１又は請求項２記載のペット用収納ボックス。
【請求項４】
外部排気通路の内部に設けられた内部水平部材と、
この内部水平部材の下方に位置する下部水平部材と、
前記内部水平部材の上方に位置する上部水平部材と、
この上部水平部材の一方側端部と前記内部水平部材の一方側端部とに接続された一方側側部部材と、
前記上部水平部材の他方側端部と前記下部水平部材の他方側端部とに接続された他方側側部部材と，
前記外部排気通路の本体の側壁に対向する外気側の開口部分を閉塞する閉塞部材とを有し、
前記内部水平部材の他方側端部と前記他方側側部部材は離間して、前記外部排気通路の折り返し部を形成し、
前記下部水平部材の一方側端部と前記一方側側部部材は離間して、前記外部排気通路の外部排気口を形成し、
前記内部水平部材の表面及び裏面に吸音材が設けられ、
前記吸音材は、第２の吸音材の一部である
ことを特徴とする請求項１又は請求項２又は請求項３記載のペット用収納ボックス。
【発明の詳細な説明】
【技術分野】
【０００１】
本発明は、ペット用収納ボックスに係り、特に、騒音の軽減化を図ることができるペット用収納ボックスに関する。
【背景技術】
【０００２】
従来、例えば、ペットの鳴き声等によって近隣へ迷惑をかけないように、防音機能を有するペット用防音室があり、このペット用防音室をファンによる強制換気を行う換気設備を備えている（特許文献１参照）。
【先行技術文献】
【特許文献】
【０００３】
【特許文献１】特開２００６−１５８２７１号公報
【発明の概要】
【発明が解決しようとする課題】
【０００４】
しかしながら、上記ペット用防音室の換気設備にあっては、防音機能がないため、ペット用防音室内の音が換気設備を介して、ペット用防音室外へ漏れるという問題点が生じた。
【０００５】
本発明は、前記問題点を考慮してなされたもので、騒音の軽減化を図ることができるペット用収納ボックスを提供することを目的とする。
【課題を解決するための手段】
【０００６】
請求項１記載のペット用収納ボックスは、開閉自在な扉を有し、内部に犬又は犬を入れたケージを収納する本体と、この本体の内部に設けられた第１の吸音材と、前記本体の側壁に設けられ、前記本体の外の空気を前記本体内に取り入れる吸気通路と、前記本体の側壁に設けられた排気通路と、この排気通路に臨むように前記本体内に取り付けられ、前記本体内の空気を吸引して外部に排気する排気ファンと、前記排気通路に接続され、前記本体の側壁より突出するように設けられた外部排気通路と、この外部排気通路の内壁面に設けられた第２の吸音材とを有するものである。
【０００７】
また、請求項２記載のペット用収納ボックスは、請求項１記載のペット用収納ボックスにおいて、外部排気通路が蛇行状に形成されているものである。
【０００８】
また、請求項３記載のペット用収納ボックスは、請求項１又は請求項２記載のペット用収納ボックスにおいて、吸気通路の本体の側壁の外部側の吸気口は、外部吸気口であり、外部排気通路の一端は、排気通路に臨み、前記外部排気通路の他端は、外気に臨み、垂直方向に対して、前記排気通路が前記吸気通路より上に位置し、前記外部排気通路の外部側の排気口は、外部排気口であり、前記外部排気口は、前記本体の設置面に臨み、前記外部排気口は、平面視、前記本体の前面より背面に近い側に位置し、前記外部吸気口は、平面視、前記本体の背面より前面に近い側に位置するものである。
【０００９】
また、請求項４記載のペット用収納ボックスは、請求項１又は請求項２又は請求項３記載のペット用収納ボックスにおいて、外部排気通路の内部に設けられた内部水平部材と、この内部水平部材の下方に位置する下部水平部材と、前記内部水平部材の上方に位置する上部水平部材と、この上部水平部材の一方側端部と前記内部水平部材の一方側端部とに接続された一方側側部部材と、前記上部水平部材の他方側端部と前記下部水平部材の他方側端部とに接続された他方側側部部材と，前記外部排気通路の本体の側壁に対向する外気側の開口部分を閉塞する閉塞部材とを有し、前記内部水平部材の他方側端部と前記他方側側部部材は離間して、前記外部排気通路の折り返し部を形成し、前記下部水平部材の一方側端部と前記一方側側部部材は離間して、前記外部排気通路の外部排気口を形成し、前記内部水平部材の表面及び裏面に吸音材が設けられ、前記吸音材は、第２の吸音材の一部である。
【発明の効果】
【００１０】
請求項１記載のペット用収納ボックスによれば、本体内で生じる犬の鳴き声は、本体の内部に設けられた第１の吸音材により減音されて、排気通路、外部排気通路を介して本体の外へ放出され、騒音の軽減化を図り、しかも、第１の吸音材により減音されるため、本体内での反響音も小さく、犬自身のストレスの軽減化をも図ることができ、更に、外部排気通路の内壁面に第２の吸音材が設けられているため、第２の吸音材により更に減音されて、排気通路を介して本体の外へ放出され、騒音の軽減化をより図ることができ、加えて、外部排気通路が本体の側壁より突出するように設けられているため、ペット用収納ボックスを部屋の壁面に当接して設置されても、吸気通路の外部側の吸気口が部屋の壁面によって塞がれることを防ぐことができる。
【００１１】
また、請求項２記載のペット用収納ボックスによれば、上述した請求項１記載の発明の効果に加え、外部排気通路は蛇行状に形成されているため、外部排気通路がストレートのものに比べ、通路を長く効率良くコンパクトに形成して減音することができる。
【００１２】
また、請求項３記載のペット用収納ボックスによれば、上述した請求項１又は請求項２記載の発明の効果に加え、外部排気口は、平面視、本体の前面より背面に近い側に位置するため、本体の背面より前面に近い側に位置するものに比べ、本体の前面側に位置する人に対する減音効果をもたらすと共に、外部吸気口は、平面視、本体の背面より前面に近い側に位置する、つまり、外部排気口と外部吸気口とが離間するため、本体内に減音された気体を外部吸気口を介して吸気するのを防ぐことができる。
【００１３】
また、請求項４記載のペット用収納ボックスによれば、上述した請求項１又は請求項２又は請求項３記載の発明の効果に加え、外気は、外部吸気口、吸気通路を介して本体内に導かれ、本体内の空気は、排気通路、折り返し部、外部排気口を介して外気に導かれるため、蛇行した分、犬の鳴き声を効率良く減音して、本体内の空気を外方に排出させ、内部水平部材を共通にして吸音材を内部水平部材の表面及び裏面に効率良く設けることができ、しかも、外部排気口は、本体の設置面に臨んでいるため、排気音が本体の前面側に向かっていない分、減音効果をもたらすことができる。
【図面の簡単な説明】
【００１４】
【図１】図１は、本発明の一実施例のペット用収納ボックスの概略的斜視図である。
【図２】図２は、図１のペット用収納ボックスの扉を開いた状態の概略的斜視図である。
【図３】図３は、図１のペット用収納ボックスの一部を分解して示す概略的一部分解斜視図である。
【図４】図４は、図３の４−４線による概略的断面図である。
【発明を実施するための形態】
【００１５】
本発明の一実施例のペット用収納ボックスを図面（図１乃至図４）を参照して説明する。
図１に示すＰはペット用収納ボックスで、ペット用収納ボックスＰは、開閉自在な扉１１を有し、内部に犬（図示せず）又は犬を入れたケージ（図示せず）を収納する本体１を有している。
扉１１には、内部を観察できる透明なガラス、アクリル樹脂等で形成された透明体１１ａを備えている。
【００１６】
また、図４に示す１２は本体１の内部に設けられた第１の吸音材で、第１の吸音材１２は、例えば、発泡ウレタンで形成された第１の層１２ａ、発泡スチロール（断熱・吸音）で形成された第２の層１２ｂを有する。
なお、本実施例では、第１の吸音材１２は、第１の層１２ａ、第２の層１２ｂと２層に形成されているが、本願発明にあっては、これに限らず、１層でも、また、３層以上あっても良い。
また、図４記載の右側壁１２Ａは、例えば、本体１内に臨む有孔ボード１２ｃ、第１の層１２ａ、第２の層１２ｂ、第１の部材（例えば、下張ベニヤ）１２ｄ、第２の部材（例えば、化粧ベニヤ）１２ｅを有する。
なお、第１の吸音材１２は、本体１の右側壁１２Ａに限らず、左側壁１２Ｂ、背面壁１２Ｃ、天井壁１２Ｄ、底壁１２Ｅにも設けられ、左側壁１２Ｂ、背面壁１２Ｃ、天井壁１２Ｄ、底壁１２Ｅも、右側壁１２Ａと同様の「有孔ボード１２ｃ、第１の層１２ａ、第２の層１２ｂ、第１の部材（例えば、下張ベニヤ）１２ｄ、第２の部材（例えば、化粧ベニヤ）１２ｅ」の構成であるが、底壁１２Ｅのみ、本体１内に臨むボードには、孔は設けられていない。
【００１７】
また、図３に示す１３は吸気通路で、吸気通路１３は、本体１の側壁（例えば、左側壁１２Ｂ）に設けられ、本体１の外の空気を本体１内に取り入れるものである。
吸気通路１３の本体１の側壁（例えば、左側壁１２Ｂ）の外部側の吸気口は、外部吸気口１３Ａである。
また、図３に示す１４は排気通路で、排気通路１４は、本体１の側壁（例えば、左側壁１２Ｂ）に設けられている。
１５は排気ファンで、排気ファン１５は、排気通路１４に臨むように本体１内に取り付けられ、本体１内の空気を吸引して外部に排気するものである。
１６は外部排気通路で、外部排気通路１６は、排気通路１４に接続され、本体１の側壁（例えば、左側壁１２Ｂ）より突出するように設けられたものである。
１７は第２の吸音材で、第２の吸音材１７は、外部排気通路１６の内壁面に設けられている。第２の吸音材１７は、例えば、発泡ウレタンである。
【００１８】
従って、上述したペット用収納ボックスＰによれば、本体１内に犬（図示せず）又は犬を入れたケージ（図示せず）を収納して使用した場合、本体１内で生じる犬の鳴き声は、本体１の内部に設けられた第１の吸音材１２により減音されて、排気通路１４を介して本体１の外へ放出され、騒音の軽減化を図り、しかも、第１の吸音材１２により減音されるため、本体１内での反響音も小さく、犬自身のストレスの軽減化をも図ることができ、更に、外部排気通路１６の内壁面に第２の吸音材１７が設けられているため、第２の吸音材１７により更に減音されて、排気通路１４、外部排気通路１６を介して本体１の外へ放出され、騒音の軽減化をより図ることができ、加えて、外部排気通路１６が本体１の側壁（例えば、左側壁１２Ｂ）より突出するように設けられているため、ペット用収納ボックスＰを部屋の壁面（図示せず）に当接して設置されても、吸気通路１３の外部側の吸気口（外部吸気口１３Ａ）が部屋の壁面によって塞がれることを防ぐことができる。
なお、外部排気通路１６は蛇行状に形成されているため、外部排気通路１６がストレートのものに比べ、通路を長く効率良くコンパクトに形成して減音することができる。
【００１９】
また、上述した外部排気通路１６の一端１６Ａは、図３に示すように、排気通路１４に臨み、外部排気通路１６Ｂの他端は、外気に臨んでいる。なお、垂直方向に対して、排気通路１４が吸気通路１３より上に位置し、外部排気通路１６の外部側の排気口は、外部排気口１６Ｂであり、外部排気口１６Ｂは、本体１の設置面２０に臨むようになっている。
そして、外部排気口１６Ｂは、平面視、本体１の前面より背面に近い側に位置し、外部吸気口１３Ａは、平面視、本体１の背面より前面に近い側に位置するようになっている。
即ち、外部排気口１６Ｂは、平面視、本体１の前面より背面に近い側に位置するため、本体１の背面より前面に近い側に位置するものに比べ、本体１の前面側に位置する人に対する減音効果をもたらすと共に、外部吸気口１３Ａは、平面視、本体１の背面より前面に近い側に位置する、つまり、外部排気口１６Ｂと外部吸気口１３Ａとが離間するため、本体１内に減音された気体を外部吸気口１３Ａを介して吸気する、所謂、ショートサーキットを防ぐことができる。
【００２０】
また、図３に示す１６Ｃは内部水平部材で、内部水平部材１６Ｃは、外部排気通路１６の内部に設けられている。１６Ｄは下部水平部材で、下部水平部材１６Ｄは、内部水平部材１６Ｃの下方に位置している。１６Ｅは上部水平部材で、上部水平部材１６Ｅは、内部水平部材の上方に位置している。
そして、上部水平部材１６Ｅの一方側端部と内部水平部材１６Ｃの一方側端部とは、一方側側部部材１６Ｆに接続され，上部水平部材１６Ｅの他方側端部と下部水平部材１６Ｄの他方側端部とは、他方側側部部材１６Ｇに接続されている。
また、図１に示す１６Ｈは閉塞部材で、閉塞部材１６Ｈは、外部排気通路６の本体１の側壁（例えば、左側壁１２Ｂ）に対向する外気側の開口部分Ｙを閉塞するものである。外部排気通路６の本体１の側壁（例えば、左側壁１２Ｂ）に対向する開口部分は、本体１の側壁（例えば、左側壁１２Ｂ）で外部排気通路１６の一端１６Ａを除いて閉塞されている。
なお、内部水平部材１６Ｃの他方側端部と他方側側部部材１６Ｇは離間して、外部排気通路１６の折り返し部Ｘを形成し、また、下部水平部材１６Ｄの一方側端部と一方側側部部材１６Ｆは離間して、外部排気通路１６の外部排気口１６Ｂを形成し、内部水平部材１６Ｃの表面及び裏面に吸音材が設けられ、前記吸音材は、第２の吸音材１７の一部となっている。
従って、外気は、外部吸気口１３Ａ、吸気通路１３を介して、本体１内に導かれ、また、本体１内の空気は、排気通路１４、折り返し部Ｘ、外部排気口１６Ｂを介して外方に導かれるため、蛇行した分、犬の鳴き声を効率良く減音して、本体１内の空気を外方に排出させ、内部水平部材１６Ｃを共通にして吸音材１７を内部水平部材１６Ｃの表面及び裏面に効率良く設けることができ、しかも、外部排気口１６Ｂは、本体１の設置面２０に臨んでいるため、排気音が本体１の前面側に向かっていない分、減音効果をもたらすことができる。
なお、上述した吸音材の例として、発泡ウレタン、発泡スチロールを挙げたが、本願発明にあっては、これに限らず、例えば、ガラス、グラスファイバ、羊毛、綿、アスベスト、グラファイト、カーボン、セラミック、ナイロン、ポリエステル、レーヨン、ポリプロピレン等のポリマー材料、又は、これらの組み合わせでも良い。
【符号の説明】
【００２１】
Ｐ      ペット用収納ボックス
１      本体
１１    扉
１２    第１の吸音材
１３    吸気通路
１４    排気通路
１５    排気ファン
１６    外部排気通路
１７    第２の吸音材
【図１】
2018050588.tif 000003
【図２】
2018050588.tif 000004
【図３】
2018050588.tif 000005
【図４】
2018050588.tif 000006